(57)【要約】【課題】複数の制御モードが実行される蓄電池の充放電制御において、制御モードの切換えを適切に実行すること。【解決手段】蓄電池制御管理装置３０は、蓄電池２０の充放電を制御する制御装置であって、蓄電池２０の制御に係る信号を取得する通信部３２と、予め定められた時間帯における蓄電池２０の充放電の制御である通常制御、及び、通信部３２によって取得された信号に応じた充放電の制御である臨時制御のスケジュールを互いに区別して保持するデータ格納部３１と、通信部３２によって取得された信号に応じて、データ格納部３１において保持されているスケジュールを変更すると共に、該スケジュールに基づき状態遷移指示を出力する制御管理部３３と、制御管理部３３によって出力された状態遷移指示に基づいて、蓄電池２０への充放電信号を作成する蓄電池制御部３４と、を備える。【選択図】図３
2020080590.tif 000002
【特許請求の範囲】
【請求項１】
蓄電池の充放電を制御する制御装置であって、
蓄電池の制御に係る信号を取得する通信部と、
予め定められた時間帯における蓄電池の充放電の制御である通常制御、及び、前記通信部によって取得された信号に応じた充放電の制御である臨時制御のスケジュールを互いに区別して保持するデータ格納部と、
前記通信部によって取得された信号に応じて、前記データ格納部において保持されている前記スケジュールを変更すると共に、該スケジュールに基づき状態遷移指示を出力する制御管理部と、
前記制御管理部によって出力された前記状態遷移指示に基づいて、蓄電池への充放電信号を作成する蓄電池制御部と、を備える制御装置。
【請求項２】
前記データ格納部は、前記臨時制御のスケジュールとして、強制的に蓄電池の充放電を制御する強制制御のスケジュール、及び、需要に基づく電力制御の要求に応じる充放電の制御であるデマンドレスポンス制御のスケジュールを互いに区別して保持しており、
前記通信部は、前記強制制御に係る信号である強制制御信号、及び、前記デマンドレスポンス制御に係る信号であるデマンドレスポンス制御信号を取得し、
前記制御管理部は、前記強制制御信号及び前記デマンドレスポンス制御信号に基づき、前記データ格納部において保持されている前記スケジュールを変更し、前記状態遷移指示を出力する、請求項１記載の制御装置。
【請求項３】
前記制御管理部は、前記強制制御信号を取得した前記通信部から強制制御指令の入力を受けると、前記通常制御及び前記デマンドレスポンス制御よりも優先して前記強制制御が実行されるように、前記状態遷移指示を出力する、請求項２記載の制御装置。
【請求項４】
前記制御管理部は、前記強制制御信号を取得した前記通信部から強制制御指令の入力を受けると、前記通信部から停止指令の入力をさらに受けるか、または、予め定められた時間が経過するまで、前記通常制御及びデマンドレスポンス制御よりも優先して前記強制制御が実行されるように、前記状態遷移指示を出力する、請求項３記載の制御装置。
【請求項５】
前記通信部は、蓄電池の充電率を示す情報を含む蓄電池情報をさらに取得し、
前記制御管理部は、前記強制制御信号を取得した前記通信部から強制制御指令の入力を受けると、前記蓄電池情報に示される蓄電池の充電率が予め定められた充放電可能な充電率の閾値に到達するまで、前記通常制御及びデマンドレスポンス制御よりも優先して前記強制制御が実行されるように、前記状態遷移指示を出力する、請求項３または４記載の制御装置。
【請求項６】
前記制御管理部は、前記強制制御が実行されていない状態において、現在時刻を取得すると共に前記スケジュールを参照して所定の判定処理を行い、
前記判定処理では、
前記デマンドレスポンス制御を行う時間帯であるか否かを判定し、前記デマンドレスポンス制御を行う時間帯である場合には前記デマンドレスポンス制御が実行されるように前記状態遷移指示を出力し、
前記デマンドレスポンス制御を行う時間帯でない場合には前記通常制御を行う時間帯であるか否かを判定し、前記通常制御を行う時間帯である場合には前記通常制御が実行されるように前記状態遷移指示を出力し、
前記通常制御を行う時間帯でない場合には蓄電池が待機状態となるように前記状態遷移指示を出力する、請求項３〜５のいずれか一項記載の制御装置。
【請求項７】
前記制御管理部は、前記判定処理を、前記強制制御が終了した際、または、所定の一定間隔で行う、請求項６記載の制御装置。
【請求項８】
前記通信部は、蓄電池の充電率を示す情報を含む蓄電池情報をさらに取得し、
前記制御管理部は、前記蓄電池情報に示される蓄電池の充電率が予め定められた充放電可能な充電率の範囲内である場合に前記判定処理を行い、前記蓄電池情報に示される蓄電池の充電率が予め定められた充放電可能な充電率の範囲内でない場合には蓄電池が待機状態となるように前記状態遷移指示を出力する、請求項６または７記載の制御装置。
【発明の詳細な説明】
【技術分野】
【０００１】
本発明は、蓄電池の充放電を制御する制御装置に関する。
【背景技術】
【０００２】
通信基地局等のインフラ設備において、災害対策の観点から、蓄電池を備えることで、停電時の電力供給バックアップを行っている例がある。通信基地局では、負荷に対しては主に直流４８Ｖで電力供給されるため、直流電力が出力可能な蓄電池が利用される。これにより、災害等で商用の交流電力の供給が遮断されても、蓄電池によって電力消費装置への電力供給を継続することができる。
【０００３】
ここで、蓄電池は、電力供給バックアップ用途以外に活用することが考えられる。例えば、商用電気料金の比較的安価な夜間帯に蓄電池へ充電し、充電した電力をその他の時間帯に放電をすることで、運用に係る電気料金を下げることができる（例えば、特許文献１参照）（スケジュール制御）。このようなスケジュール制御は、予め定められた時間帯において実行される蓄電池の充放電制御である。また近年では、需要応答（ＤＲ：Demand Response）の電力制御にも蓄電池は活用されている。ＤＲでは外部からの要求に対して、蓄電池の充放電を利用し電力需要量を調整することでインセンティブを得ることができる（例えば、特許文献２参照）（ＤＲ制御）。さらに、設備保守・点検等の際には、蓄電池を手動で充放電することで故障の有無や機能の確認を行うことも必要となる（強制制御）。このようなＤＲ制御及び強制制御は、外部からの信号に応じて実行される充放電制御である。このように、一つの蓄電池システムにおいて、複数の制御モードが実行されることが考えられる。
【先行技術文献】
【特許文献】
【０００４】
【特許文献１】特許６１０３１７０号公報
【特許文献２】特開２０１７−１３４８６３号公報
【発明の概要】
【発明が解決しようとする課題】
【０００５】
一つの蓄電池システムにおいて、上述したような異なる目的の複数の制御モードが実行され得るところ、各制御モード（例えば、上述したスケジュール制御、ＤＲ制御、及び強制制御）それぞれの開始・終了時刻（すなわち実行スケジュール）は状況によって様々であり、蓄電池の充放電を制御する制御装置においては、これらの実行スケジュールを適切に管理する必要がある。制御装置において各制御モードの実行スケジュールを適切に管理できていない場合には、各制御モードを適切・円滑に切り替えることができないおそれがある。
【０００６】
本発明の一態様は上記実情に鑑みてなされたものであり、複数の制御モードが実行される蓄電池の充放電制御において、制御モードの切換えを適切に実行することを目的とする。
【課題を解決するための手段】
【０００７】
本発明の一態様に係る制御装置は、蓄電池の充放電を制御する制御装置であって、蓄電池の制御に係る信号を取得する通信部と、予め定められた時間帯における蓄電池の充放電の制御である通常制御、及び、通信部によって取得された信号に応じた充放電の制御である臨時制御のスケジュールを互いに区別して保持するデータ格納部と、通信部によって取得された信号に応じて、データ格納部において保持されているスケジュールを変更すると共に、該スケジュールに基づき状態遷移指示を出力する制御管理部と、制御管理部によって出力された状態遷移指示に基づいて、蓄電池への充放電信号を作成する蓄電池制御部と、を備える。
【０００８】
本発明の一態様に係る制御装置では、予め定められた時間帯において定期的に行われる通常制御の実行スケジュールと、取得された信号に応じて臨時で行われる臨時制御の実行スケジュールとが、互いに区別されて管理されている。スケジュールが区別して管理されていることにより、信号が取得されてスケジュールが変更され実行される制御モードが変更される（切り替わる）場合においても、更新が必要なスケジュール（例えば臨時制御のスケジュール）のみを更新すればよく、全てのスケジュールを作り替える（新たな制御スケジュールを作成する）必要がないため、迅速に蓄電池の制御を行うことができ、蓄電池の制御においてタイムラグが発生することを抑制することができる。すなわち、本発明の一態様に係る制御装置によれば、複数の制御モードが実行される蓄電池の充放電制御において、制御モードの切換えを適切に実行することができる。
【０００９】
上記制御装置において、データ格納部は、臨時制御のスケジュールとして、強制的に蓄電池の充放電を制御する強制制御のスケジュール、及び、需要に基づく電力制御の要求に応じる充放電の制御であるデマンドレスポンス制御のスケジュールを互いに区別して保持しており、通信部は、強制制御に係る信号である強制制御信号、及び、デマンドレスポンス制御に係る信号であるデマンドレスポンス制御信号を取得し、制御管理部は、強制制御信号及びデマンドレスポンス制御信号に基づき、データ格納部において保持されているスケジュールを変更し、状態遷移指示を出力してもよい。これにより、通常制御、強制制御、及びデマンドレスポンス制御のスケジュールが互いに区別されて管理されることとなり、強制制御信号又はデマンドレスポンス制御信号が取得された場合において、制御モードの切換えを適切・円滑に実行することができる。
【００１０】
上記制御装置において、制御管理部は、強制制御信号を取得した通信部から強制制御指令の入力を受けると、通常制御及びデマンドレスポンス制御よりも優先して強制制御が実行されるように、状態遷移指示を出力してもよい。これにより、強制制御を、他の制御の影響を受けることなく確実に実行することができる。すなわち、例えば設備保守・点検等の観点から蓄電池を手動で充放電させる強制制御を実行したい場合等において、他の制御の実行スケジュールに関わらず、当該強制制御を確実に実行することができる。
【００１１】
上記制御装置において、制御管理部は、強制制御信号を取得した通信部から強制制御指令の入力を受けると、通信部から停止指令の入力をさらに受けるか、または、予め定められた時間が経過するまで、通常制御及びデマンドレスポンス制御よりも優先して強制制御が実行されるように、状態遷移指示を出力してもよい。これにより、強制制御の実行を指示したユーザが希望する期間だけ、確実に強制制御を実行することができる。
【００１２】
上記制御装置において、通信部は、蓄電池の充電率を示す情報を含む蓄電池情報をさらに取得し、制御管理部は、強制制御信号を取得した通信部から強制制御指令の入力を受けると、蓄電池情報に示される蓄電池の充電率が予め定められた充放電可能な充電率の閾値に到達するまで、通常制御及びデマンドレスポンス制御よりも優先して強制制御が実行されるように、状態遷移指示を出力してもよい。これにより、強制制御を優先的に実行させつつ、蓄電池の充電率が所定の充放電可能な充電率を下回らないようにすることができ、蓄電池のバックアップ機能を担保することができる。
【００１３】
上記制御装置において、制御管理部は、強制制御が実行されていない状態において、現在時刻を取得すると共にスケジュールを参照して所定の判定処理を行い、判定処理では、デマンドレスポンス制御を行う時間帯であるか否かを判定し、デマンドレスポンス制御を行う時間帯である場合にはデマンドレスポンス制御が実行されるように状態遷移指示を出力し、デマンドレスポンス制御を行う時間帯でない場合には通常制御を行う時間帯であるか否かを判定し、通常制御を行う時間帯である場合には通常制御が実行されるように状態遷移指示を出力し、通常制御を行う時間帯でない場合には蓄電池が待機状態となるように状態遷移指示を出力してもよい。これにより、強制制御の次にデマンドレスポンス制御を優先的に実行することができる。デマンドレスポンス制御の優先度を通常制御よりも高くすることにより、デマンドレスポンス応答によってインセンティブ（報酬）を積極的に獲得することができる。
【００１４】
上記制御装置において、制御管理部は、判定処理を、強制制御が終了した際、または、所定の一定間隔で行ってもよい。これにより、強制制御が実行されていない状態において、円滑に判定処理が実行されて、制御モードの切換えを適切・円滑に行うことができる。
【００１５】
上記制御装置において、通信部は、蓄電池の充電率を示す情報を含む蓄電池情報をさらに取得し、制御管理部は、蓄電池情報に示される蓄電池の充電率が予め定められた充放電可能な充電率の範囲内である場合に判定処理を行い、蓄電池情報に示される蓄電池の充電率が予め定められた充放電可能な充電率の範囲内でない場合には蓄電池が待機状態となるように状態遷移指示を出力してもよい。これにより、蓄電池の充電率が所定の充放電可能な範囲内である場合に限り、判定処理以降の制御（すなわち、デマンドレスポンス制御等）が行われることとなり、蓄電池のバックアップ機能を担保することができる。
【発明の効果】
【００１６】
本発明の一態様によれば、複数の制御モードが実行される蓄電池の充放電制御において、制御モードの切換えを適切に実行することができる。
【図面の簡単な説明】
【００１７】
【図１】本発明の実施形態に係る電力システムの一例を示すシステム構成図である。
【図２】本発明の実施形態に係る電力システムの一例を示すシステム構成図である。
【図３】制御装置の機能の一例を示す機能ブロック図である。
【図４】強制制御指令入力時の動作の一例を示すフローチャートである。
【図５】強制制御終了時の動作の一例を示すフローチャートである。
【図６】制御モード管理に係る動作の一例を示すフローチャートである。
【図７】制御モード管理を説明する図である。
【図８】制御装置のハードウェア構成を示す図である。
【発明を実施するための形態】
【００１８】
以下、添付図面を参照しながら本発明の実施形態を詳細に説明する。図面の説明において、同一または同等の要素には同一符号を用い、重複する説明を省略する。
【００１９】
図１を参照して、本実施形態に係る電力システム１の構成を説明する。図１に示されるように、電力システム１は、電力消費装置１０と、蓄電池２０と、蓄電池制御管理装置３０（制御装置）と、を含んで構成されている。なお、以下では、本実施形態に係る電力システムが、蓄電池２０が交流系統に接続されている電力システム１であるとして説明するが、本実施形態に係る電力システムは、例えば図２に示されるように、蓄電池２０が整流器１５０に接続された（すなわち直流系統に接続された）電力システム１Ａであってもよい。
【００２０】
電力消費装置１０は、一例として、無線基地局に設けられる。以下では、電力消費装置１０が無線基地局に設けられているとして説明するが、これに限定されるものではなく、電力消費装置１０は無線基地局以外の装置に設けられていてもよい。電力消費装置１０は、例えば無線基地局における無線通信を実行する装置（通信負荷）であり、電力を消費する装置である。
【００２１】
蓄電池２０は、充電及び電力消費装置１０への放電（電力の供給）を行う。蓄電池２０は、蓄電池制御管理装置３０の制御に応じて充電及び放電（充放電）を行う。また、蓄電池２０は、蓄電池情報を蓄電池制御管理装置３０に送信する。蓄電池情報には、例えば蓄電池の充電率を示す情報（ＳＯＣ:State Of Charge）が含まれている。蓄電池２０は、例えば所定の時間間隔で最新の蓄電池情報を蓄電池制御管理装置３０に送信する。
【００２２】
蓄電池制御管理装置３０は、蓄電池２０の充放電を制御する装置である。蓄電池制御管理装置３０は、内部に保持する制御スケジュールの通りに状態遷移するように充放電を制御する。また、蓄電池制御管理装置３０は、強制制御信号の受信を契機として充放電を制御する（詳細は後述）。蓄電池制御管理装置３０は、蓄電池２０及び外部装置２００と通信可能に接続（有線接続または無線接続）されている。蓄電池制御管理装置３０は、例えば通信ネットワークを介して外部装置２００に接続され得る。外部装置２００は、需要応答（ＤＲ：Demand Response）の要求が発生した場合には、蓄電池制御管理装置３０に対してデマンドレスポンス制御信号を送信する。デマンドレスポンス制御とは、需要に基づく電力制御の要求に応じる充放電の制御である。デマンドレスポンス制御信号は、デマンドレスポンス制御の実行に係る信号であり、デマンドレスポンス制御の実行開始時間、実行終了時間、充電及び放電のいずれを実行するかを示す情報等の情報を含んだ信号である。また、外部装置２００は、例えばユーザによって手動で任意に入力された情報に基づき、蓄電池制御管理装置３０に対して強制制御信号を送信する。強制制御とは、強制的な蓄電池の充放電制御である。強制制御は、例えば、設備保守・点検の目的で蓄電池２０を充放電させるものであり、蓄電池２０についての故障の有無及び機能の確認を行うことができる。強制制御信号は、強制制御に係る信号であり、強制制御の実行開始時間（または強制制御の停止を開始する時間）、実行終了時間、充電・放電・待機（アイドル状態）のいずれを実行（または停止）するかを示す情報等の情報を含んだ信号である。また、外部装置２００は、蓄電池制御管理装置３０に対して、蓄電池制御管理装置３０が保持する制御スケジュールを編集するための信号を送信してもよい。蓄電池制御管理装置３０は、電力メータ（不図示）に対する要求によって、需要電力の実績情報を取得してもよい。需要電力の実績情報は、例えば需要電力のベースラインの算出に利用され、これをもとにＤＲの要求に対する応答の実績や、応答により得られるインセンティブが算出される。また、蓄電池制御管理装置３０は、外部装置２００に対する要求によって、契約する時間帯ごとの電気料金情報を取得してもよい。例えば、スケジュール制御の実行スケジュールは、この情報をもとに、その効果が最大となるように決定してもよい。
【００２３】
図３に示されるように、蓄電池制御管理装置３０は、その機能として、データ格納部３１と、通信部３２と、制御管理部３３と、蓄電池制御部３４と、を備えている。
【００２４】
データ格納部３１は、蓄電池２０に関する、互いに目的の異なる充放電の制御モードのスケジュールを互いに区別して保持するデータベースである。具体的には、データ格納部３１は、予め定められた時間帯における蓄電池２０の充放電の制御であるスケジュール制御（通常制御）、及び、通信部３２によって取得された信号に応じた充放電の制御である臨時制御のスケジュールを互いに区別して保持している。データ格納部３１は、臨時制御のスケジュールとして、強制的に蓄電池２０の充放電を制御する強制制御のスケジュール、及び、需要に基づく電力制御の要求に応じる充放電の制御であるデマンドレスポンス（ＤＲ）制御のスケジュールを互いに区別して保持している。スケジュールを互いに区別して保持しているとは、例えば図７に示されるように、スケジュール制御、デマンドレスポンス制御、及び強制制御について、それぞれ個別に、制御で実行される内容（充電、放電、待機）と、該内容が実行される時間帯とを対応付けて記憶していることをいう。
【００２５】
通信部３２は、蓄電池２０の制御に係る信号を取得する。通信部３２は、外部装置２００から、強制制御に係る信号である強制制御信号、及び、デマンドレスポンス制御に係る信号であるデマンドレスポンス制御信号を受信（取得）する。通信部３２は、外部装置２００から、蓄電池制御管理装置３０が保持する制御スケジュールを編集するための信号を受信（取得）してもよい。これらの信号については、蓄電池制御管理装置３０が備える入力インターフェースから入力されてもよい。また、通信部３２は、蓄電池２０から、蓄電池の充電率を示す情報（ＳＯＣ:State Of Charge）を含む信号である蓄電池情報を受信（取得）する。通信部３２は、受信した信号を制御管理部３３に出力する。
【００２６】
制御管理部３３は、通信部３２によって取得された信号（強制制御信号、デマンドレスポンス制御信号、またはスケジュールを編集するための信号等）に応じて、データ格納部３１において保持されているスケジュールを変更すると共に、該スケジュールに基づき状態遷移指示を蓄電池制御部３４に出力する。制御管理部３３は、通信部３２から強制制御指令を含んだ強制制御信号の入力を受けると、通信部３２から停止指令を含んだ強制制御信号の入力をさらに受けるか、または、予め定められた時間が経過するまで、スケジュール制御及びデマンドレスポンス制御よりも優先して強制制御が実行されるように、状態遷移指示を出力する。すなわち、制御管理部３３は、強制制御の実行開始時間から実行終了時間までは、他の制御が実行されずに強制制御のみが実行されるように、蓄電池制御部３４に状態遷移指示を出力する。また、制御管理部３３は、通信部３２から強制制御指令を含んだ強制制御信号の入力を受けると、蓄電池情報に示される蓄電池２０の充電率が予め定められた充放電可能な充電率の閾値に到達するまで、スケジュール制御及びデマンドレスポンス制御よりも優先して強制制御が実行されるように、状態遷移指示を出力する。
【００２７】
また、制御管理部３３は、強制制御が実行されていない状態においては、現在時刻を取得すると共にスケジュールを参照して所定の判定処理を行う。判定処理では、制御管理部３３は、デマンドレスポンス制御を行う時間帯であるか否かを判定し、デマンドレスポンス制御を行う時間帯である場合にはデマンドレスポンス制御が実行されるように蓄電池制御部３４に状態遷移指示を出力し、デマンドレスポンス制御を行う時間帯でない場合にはスケジュール制御を行う時間帯であるか否かを判定し、スケジュール制御を行う時間帯である場合にはスケジュール制御が実行されるように蓄電池制御部３４に状態遷移指示を出力し、スケジュール制御を行う時間帯でない場合には蓄電池２０が待機状態となるように蓄電池制御部３４に状態遷移指示を出力する。なお、制御管理部３３は、上記判定処理を、例えば強制制御が終了した際に実行してもよいし、所定の一定間隔で実行してもよい。また、制御管理部３３は、蓄電池情報に示される蓄電池２０の充電率が予め定められた充放電可能な充電率の範囲内である場合に上記判定処理を行い、蓄電池情報に示される蓄電池２０の充電率が予め定められた充放電可能な充電率の範囲内でない場合には蓄電池２０が待機状態となるように、蓄電池制御部３４に状態遷移指示を出力してもよい。
【００２８】
蓄電池制御部３４は、制御管理部３３によって出力された状態遷移指示に基づいて、蓄電池２０への充放電信号を作成する。充放電信号とは、充電信号（充電の開始または終了を命じる信号）、放電信号（放電の開始または終了を命じる信号）、または待機信号（待機の開始または終了を命じる信号）である。蓄電池制御部３４は、通信部３２を介して蓄電池２０に充放電信号を送信する。蓄電池２０は、充放電信号に基づき、充電、放電、または待機を開始または終了するように動作する。
【００２９】
次に、図４〜図６を参照して、蓄電池制御管理装置３０の処理フローについて説明する。図４は、強制制御指令入力時の動作の一例を示すフローチャートである。図５は、強制制御指令終了時の動作の一例を示すフローチャートである。図６は、強制モード管理に係る動作の一例を示すフローチャートである。
【００３０】
図４の処理は、強制制御指令を含んだ強制制御信号が制御管理部３３に入力された場合に実行される処理である。上述したように、強制制御指令を含んだ強制制御信号には、強制制御の実行開始時間及び実行終了時間から決まる制御時間（強制制御の実行予定時間）が含まれている。すなわち、図４の処理では、最初に、強制制御指令と制御時間とが制御管理部３３に入力され（ステップＳ１）、制御管理部３３が強制制御を開始する（ステップＳ２）。制御管理部３３は、他の制御に優先して強制制御が実行されるように、蓄電池制御部３４に状態遷移指示を出力する。蓄電池制御部３４は、当該状態遷移指示に基づいて、蓄電池２０への充放電信号を作成する。そして、当該充放電信号が通信部３２を介して蓄電池２０に送信されることにより、蓄電池２０の充電、放電、または待機が開始される。
【００３１】
つづいて、制御管理部３３は、通信部３２を介して、蓄電池の充電率を示す情報（ＳＯＣ:StateOf Charge）を含む信号である蓄電池情報を蓄電池２０から受信（取得）する（ステップＳ３）。制御管理部３３は、例えば所定の時間間隔で周期的に蓄電池情報を取得してもよい。ステップＳ３の処理と並行して、制御管理部３３は、強制制御を開始してからの経過時間をカウントする（ステップＳ４）。なお、ステップＳ３及びステップＳ４の処理の開始タイミングはいずれが先であってもよい。つづいて、制御管理部３３は、通信部３２から停止指令を含んだ強制制御信号の入力があったか、蓄電池２０の充電率が範囲外であるか（予め定めた充放電可能な充電率の閾値に到達しているか）、及び、制御時間が経過しているかを判定する（ステップＳ５）。ステップＳ５において、いずれにも該当しない場合には、引き続きステップＳ３及びステップＳ４以降の処理が実行される。一方で、ステップＳ５においていずれかに該当する場合には、制御管理部３３は、強制制御が終了（制御停止）するように、蓄電池制御部３４に状態遷移指示を出力する（ステップＳ６）。そして、蓄電池制御部３４が制御停止に係る充放電信号を作成し、当該充放電信号が通信部３２を介して蓄電池２０に送信されることにより、蓄電池２０の充電、放電、または待機が終了（制御停止）する。
【００３２】
図５の処理は、例えば図４を参照して説明した強制制御が終了（停止）した後に実行される処理である。図５に示されるように、強制制御の終了後において、制御管理部３３は、現在時刻及びスケジュール情報を取得する（ステップＳ１１）。制御管理部３３は、データ格納部３１を参照することにより、各制御のスケジュールを取得する。つづいて、制御管理部３３は、現在時刻においてデマンドレスポンス制御の実行スケジュールが存在するか否かを判定する（ステップＳ１２）。ステップＳ１２において現在時刻に関してデマンドレスポンス制御の実行スケジュールがあると判定された場合には、デマンドレスポンス制御が実行される（ステップＳ１３）。具体的には、制御管理部３３がデマンドレスポンス制御が実行されるように蓄電池制御部３４に状態遷移指示を出力し、蓄電池制御部３４がデマンドレスポンス制御に係る充放電信号を作成し当該充放電制御信号が通信部３２を介して蓄電池２０に送信されることにより、デマンドレスポン制御に係る蓄電池２０の充電、放電、または待機が開始される。
【００３３】
一方で、ステップＳ１２において現在時刻に関してデマンドレスポンス制御の実行スケジュールがないと判定された場合には、制御管理部３３は、現在時刻に関して制御スケジュールが存在するか（すなわち、スケジュール制御の実行スケジュールが存在するか）否かを判定する（ステップＳ１４）。ステップＳ１４において現在時刻に関してスケジュール制御の実行スケジュールがあると判定された場合には、スケジュール制御が実行される（ステップＳ１５）。具体的には、制御管理部３３がスケジュール制御が実行されるように蓄電池制御部３４に状態遷移指示を出力し、蓄電池制御部３４がスケジュール制御に係る充放電信号を作成し当該充放電制御信号が通信部３２を介して蓄電池２０に送信されることにより、スケジュール制御に係る蓄電池２０の充電、放電、または待機が開始される。一方で、ステップＳ１４において現在時刻に関してスケジュール制御の実行スケジュールがないと判定された場合には、蓄電池２０は待機状態（アイドル状態）とされる（ステップＳ１６）。
【００３４】
図６の処理は、定期的に（例えば１分周期で）繰り返し実行される処理である。図６に示されるように、最初に、制御管理部３３は、蓄電池２０の現在の制御状態を示す情報である蓄電池制御状態情報と、蓄電池の充電率を示す情報（ＳＯＣ:State Of Charge）を含む信号である蓄電池情報と、現在時刻と、スケジュール情報とを取得する（ステップＳ２１）。制御管理部３３は、例えば蓄電池制御状態情報をデータ格納部３１から取得してもよい。また、制御管理部３３は、通信部３２を介して蓄電池情報を取得すると共に、データ格納部３１を参照することにより各制御のスケジュールを取得する。つづいて、制御管理部３３は、蓄電池制御状態情報に基づき、現在時刻において強制制御中であるか否かを判定する（ステップＳ２２）。ステップＳ２２において強制制御中であると判定された場合には、即時または所定時間経過後に、再度ステップＳ２１の処理が実行される。
【００３５】
一方で、ステップＳ２２において強制制御中でないと判定された場合には、制御管理部３３は、蓄電池２０の充電率が範囲外であるか（予め定めた充放電可能な充電率の閾値に到達しているか）否かを判定する（ステップＳ２３）。ステップＳ２３において蓄電池２０の充電率が範囲外であると判定された場合には、蓄電池２０は待機状態（アイドル状態）とされ（ステップＳ３０）、即時または所定時間経過後に、再度ステップＳ２１の処理が実行される。
【００３６】
一方で、ステップＳ２３において蓄電池２０の充電率が範囲外でないと判定された場合には、制御管理部３３は、現在時刻においてデマンドレスポンス制御の実行スケジュールが存在するか否かを判定する（ステップＳ２４）。ステップＳ２４において、現在時刻に関してデマンドレスポンス制御の実行スケジュールがあると判定された場合には、制御管理部３３は、蓄電池制御状態情報に基づき、現在、デマンドレスポンス制御中であるか否かを判定し（ステップＳ２５）、デマンドレスポンス制御中である場合にはデマンドレスポンス制御が継続され、デマンドレスポンス制御中でない場合にはデマンドレスポンス制御が開始される（ステップＳ２６）。ステップＳ２５またはステップＳ２６の処理が完了すると、即時または所定時間経過後に、再度ステップＳ２１の処理が実行される。
【００３７】
ステップＳ２４において、現在時刻に関してデマンドレスポンス制御の実行スケジュールがないと判定された場合には、制御管理部３３は、現在時刻に関して制御スケジュールが存在するか（すなわち、スケジュール制御の実行スケジュールが存在するか）否かを判定する（ステップＳ２７）。ステップＳ２７において現在時刻に関してスケジュール制御の実行スケジュールがあると判定された場合には、制御管理部３３は、蓄電池制御状態情報に基づき、現在、スケジュール制御中であるか否かを判定し（ステップＳ２８）、スケジュール制御中である場合にはスケジュール制御が継続され、スケジュール制御中でない場合にはスケジュール制御が開始される（ステップＳ２９）。ステップＳ２８またはステップＳ２９の処理が完了すると、即時または所定時間経過後に、再度ステップＳ２１の処理が実行される。ステップＳ２７において現在時刻に関してスケジュール制御の実行スケジュールがないと判定された場合（すなわち、現在時刻においていずれの制御スケジュールもない場合）には、蓄電池２０は待機状態（アイドル状態）とされ（ステップＳ３０）、即時または所定時間経過後に、再度ステップＳ２１の処理が実行される。
【００３８】
次に、図７を参照して、制御モード管理のより具体的な例について説明する。図７は、制御モード管理を説明するための図である。図７において、横軸は時間であり、上から順に、強制制御、デマンドレスポンス制御、スケジュール制御のスケジュールが示されている。また、図７の最下段には、最終的に実行される制御モード（充電、放電、待機）が示されている。図７に示されるように、１０時〜１１時の時間帯においては、いずれの制御の実行スケジュールも存在しないため、制御モード状態は待機状態（アイドル状態）とされる。そして、１１時を経過すると、スケジュール制御（放電）が開始される。さらに、１２時のタイミングで、デマンドレスポンス制御（充電）が開始される。図７に示されるように、１１時に開始されたスケジュール制御（放電）は１３時までの実行予定であったが、スケジュール制御よりも優先度が高いデマンドレスポンス制御（充電）が１２時から開始されるスケジュールとなったため、１２時のタイミングでスケジュール制御からデマンドレスポンス制御に切り替えられる。
【００３９】
さらに、１３時のタイミングで、強制制御（待機）が開始される。強制制御（待機）は、強制制御のスケジュールに沿って１５時まで継続される。なお、図７に示されるように、１２時に開始されたデマンドレスポンス制御（充電）は１４時まで実行予定であり、また、スケジュール制御（待機）が１４時から１６時まで実行予定であったが、デマンドレスポンス制御及びスケジュール制御よりも優先度が高い強制制御（待機）が、１３時から１５時までの期間、優先的に実行される。
【００４０】
そして、１５時のタイミングで強制制御（待機）が終了すると、当該時間において唯一存在する制御スケジュールであるスケジュール制御（待機）が実行される。さらに、１６時のタイミングで、強制制御（充電）が開始される。強制制御（充電）は、強制制御のスケジュールに沿って１８時まで継続される。この期間においては、デマンドレスポンス制御及びスケジュール制御よりも優先度が高い強制制御（充電）が優先的に実行される。
【００４１】
そして、１８時のタイミングで強制制御（充電）が終了すると、強制制御に次いで優先度が高いデマンドレスポンス制御（放電）が実行される。当該デマンドレスポンス制御（放電）は、１７時から１９時まで実行予定であったが、上述したように強制制御（充電）が１８時までは実行されていたため、１８時から実行が開始されるものである。当該デマンドレスポンス制御（放電）は、デマンドレスポンス制御のスケジュールに沿って１９時まで継続される。そして、１９時のタイミングでデマンドレスポンス制御（放電）が終了すると、当該時間において唯一存在する制御スケジュールであるスケジュール制御（待機）が実行される。スケジュール制御（待機）は、スケジュール制御のスケジュールに沿って２０時まで継続される。
【００４２】
次に、本実施形態の作用効果について説明する。
【００４３】
蓄電池制御管理装置３０は、蓄電池２０の充放電を制御する制御装置であって、蓄電池２０の制御に係る信号を取得する通信部３２と、予め定められた時間帯における蓄電池２０の充放電の制御である通常制御、及び、通信部３２によって取得された信号に応じた充放電の制御である臨時制御のスケジュールを互いに区別して保持するデータ格納部３１と、通信部３２によって取得された信号に応じて、データ格納部３１において保持されているスケジュールを変更すると共に、該スケジュールに基づき状態遷移指示を出力する制御管理部３３と、制御管理部３３によって出力された状態遷移指示に基づいて、蓄電池２０への充放電信号を作成する蓄電池制御部３４と、を備える。
【００４４】
このような蓄電池制御管理装置３０では、予め定められた時間帯において定期的に行われるスケジュール制御の実行スケジュールと、取得された信号に応じて臨時で行われる臨時制御の実行スケジュールとが、互いに区別されて管理されている。スケジュールが区別して管理されていることにより、信号が取得されてスケジュールが変更され実行される制御モードが変更される（切り替わる）場合においても、更新が必要なスケジュール（例えば臨時制御のスケジュール）のみを更新すればよく、全てのスケジュールを作り替える（新たな制御スケジュールを作成する）必要がないため、迅速に蓄電池２０の制御を行うことができ、蓄電池２０の制御においてタイムラグが発生することを抑制することができる。すなわち、蓄電池制御管理装置３０によれば、複数の制御モードが実行される蓄電池２０の充放電制御において、制御モードの切換えを適切に実行することができる。
【００４５】
データ格納部３１は、臨時制御のスケジュールとして、強制的に蓄電池２０の充放電を制御する強制制御のスケジュール、及び、需要に基づく電力制御の要求に応じる充放電の制御であるデマンドレスポンス制御のスケジュールを互いに区別して保持しており、通信部３２は、強制制御に係る信号である強制制御信号、及び、デマンドレスポンス制御に係る信号であるデマンドレスポンス制御信号を取得し、制御管理部３３は、強制制御信号及びデマンドレスポンス制御信号に基づき、データ格納部３１において保持されているスケジュールを変更し、状態遷移指示を出力する。これにより、スケジュール制御、強制制御、及びデマンドレスポンス制御のスケジュールが互いに区別されて管理されることとなり、強制制御信号またはデマンドレスポンス制御信号が取得された場合において、制御モードの切換えを適切・円滑に実行することができる。
【００４６】
制御管理部３３は、強制制御信号を取得した通信部３２から強制制御指令の入力を受けると、スケジュール制御及びデマンドレスポンス制御よりも優先して強制制御が実行されるように、状態遷移指示を出力する。これにより、強制制御を、他の制御の影響を受けることなく確実に実行することができる。すなわち、例えば設備保守・点検等の観点から蓄電池を手動で充放電させる強制制御を実行したい場合等において、他の制御の実行スケジュールに関わらず、当該強制制御を確実に実行することができる。
【００４７】
制御管理部３３は、強制制御信号を取得した通信部３２から強制制御指令の入力を受けると、通信部３２から停止指令の入力をさらに受けるか、または、予め定められた時間が経過するまで、スケジュール制御及びデマンドレスポンス制御よりも優先して強制制御が実行されるように、状態遷移指示を出力する。これにより、強制制御の実行を指示したユーザが希望する期間だけ、確実に強制制御を実行することができる。
【００４８】
通信部３２は、蓄電池の充電率を示す情報を含む蓄電池情報をさらに取得し、制御管理部３３は、強制制御信号を取得した通信部３２から強制制御指令の入力を受けると、蓄電池情報に示される蓄電池２０の充電率が予め定められた充放電可能な充電率の閾値に到達するまで、スケジュール制御及びデマンドレスポンス制御よりも優先して強制制御が実行されるように、状態遷移指示を出力する。これにより、強制制御を優先的に実行させつつ、蓄電池２０の充電率が所定の充放電可能な充電率を下回らないようにすることができ、緊急時等における蓄電池２０のバックアップ機能を担保することができる。
【００４９】
制御管理部３３は、強制制御が実行されていない状態において、現在時刻を取得すると共にスケジュールを参照して所定の判定処理を行い、判定処理では、デマンドレスポンス制御を行う時間帯であるか否かを判定し、デマンドレスポンス制御を行う時間帯である場合にはデマンドレスポンス制御が実行されるように状態遷移指示を出力し、デマンドレスポンス制御を行う時間帯でない場合にはスケジュール制御を行う時間帯であるか否かを判定し、スケジュール制御を行う時間帯である場合にはスケジュール制御が実行されるように状態遷移指示を出力し、スケジュール制御を行う時間帯でない場合には蓄電池２０が待機状態となるように状態遷移指示を出力する。これにより、強制制御の次にデマンドレスポンス制御を優先的に実行することができる。デマンドレスポンス制御の優先度をスケジュール制御よりも高くすることにより、デマンドレスポンス応答によってインセンティブ（報酬）を積極的に獲得することができる。
【００５０】
制御管理部３３は、判定処理を、強制制御が終了した際、または、所定の一定間隔で行う。これにより、強制制御が実行されていない状態において、円滑に判定処理が実行されて、制御モードの切換えを適切・円滑に行うことができる。
【００５１】
通信部３２は、蓄電池２０の充電率を示す情報を含む蓄電池情報をさらに取得し、制御管理部３３は、蓄電池情報に示される蓄電池２０の充電率が予め定められた充放電可能な充電率の範囲内である場合に判定処理を行い、蓄電池情報に示される蓄電池２０の充電率が予め定められた充放電可能な充電率の範囲内でない場合には蓄電池２０が待機状態となるように状態遷移指示を出力する。これにより、蓄電池２０の充電率が所定の充放電可能な範囲内である場合に限り、判定処理以降の制御（すなわち、デマンドレスポンス制御等）が行われることとなり、緊急時等における蓄電池２０のバックアップ機能を担保することができる。
【００５２】
最後に、蓄電池制御管理装置３０のハードウェア構成について、図８を参照して説明する。蓄電池制御管理装置３０は、物理的には、プロセッサ１００１、メモリ１００２、ストレージ１００３、通信装置１００４、入力装置１００５、出力装置１００６、バス１００７などを含むコンピュータ装置として構成されてもよい。
【００５３】
なお、以下の説明では、「装置」という文言は、回路、デバイス、ユニットなどに読み替えることができる。蓄電池制御管理装置３０のハードウェア構成は、図に示した各装置を１つ又は複数含むように構成されてもよいし、一部の装置を含まずに構成されてもよい。
【００５４】
蓄電池制御管理装置３０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００５５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、蓄電池制御管理装置３０の制御管理部３３等の制御機能はプロセッサ１００１で実現されてもよい。
【００５６】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、蓄電池制御管理装置３０の制御管理部３３等の制御機能は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００５７】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（ElectricallyErasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００５８】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００５９】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【００６０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００６１】
また、プロセッサ１００１やメモリ１００２などの各装置は、情報を通信するためのバス１００７で接続される。バス１００７は、単一のバスで構成されてもよいし、装置間で異なるバスで構成されてもよい。
【００６２】
また、蓄電池制御管理装置３０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００６３】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００６４】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broad-band）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-Wide  Band）、Ｂｌｕｅｔｏｏｔｈ（登録商標）、その他の適切なシステムを利用するシステム及び／又はこれらに基づいて拡張された次世代システムに適用されてもよい。
【００６５】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００６６】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００６７】
判定は、１ビットで表される値（０か１か）によって行われてもよいし、真偽値（Boolean：trueまたはfalse）によって行われてもよいし、数値の比較（例えば、所定の値との比較）によって行われてもよい。
【００６８】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００６９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００７０】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００７１】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７２】
なお、本明細書で説明した用語及び／又は本明細書の理解に必要な用語については、同一の又は類似する意味を有する用語と置き換えてもよい。
【００７３】
また、本明細書で説明した情報、パラメータなどは、絶対値で表されてもよいし、所定の値からの相対値で表されてもよいし、対応する別の情報で表されてもよい。
【００７４】
ユーザ端末は、当業者によって、移動通信端末、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００７５】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００７６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００７７】
本明細書で「第１の」、「第２の」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００７８】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【００７９】
本明細書において、文脈または技術的に明らかに1つのみしか存在しない装置である場合以外は、複数の装置をも含むものとする。
【００８０】
本開示の全体において、文脈から明らかに単数を示したものではなければ、複数のものを含むものとする。
【符号の説明】
【００８１】
２０…蓄電池、３０…蓄電池制御管理装置（制御装置）、３１…データ格納部、３２…通信部、３３…制御管理部、３４…蓄電池制御部。
【図１】
2020080590.tif 000003
【図２】
2020080590.tif 000004
【図３】
2020080590.tif 000005
【図４】
2020080590.tif 000006
【図５】
2020080590.tif 000007
【図６】
2020080590.tif 000008
【図７】
2020080590.tif 000009
【図８】
2020080590.tif 000010